(57)【特許請求の範囲】
【請求項１】
左右対称に２個の可動翼を回動自在に保持する翼支持部材と、前面に翼支持部材が取り付けられ、背面には球検知器を装着した球通路が形成されるとともに可動翼を開閉する作動体を取り付けた取り付け基板と、作動体を駆動する駆動部材と、前記取り付け基板の背面に取り付けられ、前記駆動部材を収容するケーシングとからなり、取り付け基板により遊技盤に取り付けられ、可動翼間に落下した遊技球を入賞通路に導くチューリップ役物において、
前記作動体が、前記２個の可動翼に係合する二股状の係合ピン部と該係合ピン部に略直角に曲がった磁着部とからなり、常時は可動翼を閉じるように弾性的に付勢されたＬ字形の回動レバーであり、
前記駆動部材が、回動レバーの磁着部を吸着する磁着面が形成されたソレノイドであって該ソレノイドを励磁することにより前記回動レバーを揺動させ、前記可動翼を開放するようになし、
前記ケーシングには、前記ソレノイドの磁着面より前記回動レバーの磁着部側に突出した受け座が形成されており、
前記ソレノイドを励磁させたとき、前記回動レバーの磁着部が前記受け座に当接し、前記ソレノイドの磁着面に直接接しないようにしたことを特徴とするチューリップ式役物。
【請求項２】
前記回動レバーの回動軸にねじりバネを装着し、該ねじりバネの一端を取り付け基板に、他端を前記係合ピンに係着し、回動レバーを弾性的に付勢した請求項１に記載のチューリップ式役物。
【請求項３】
遊技くぎ、図柄表示装置、各種役物、電飾部材などを配した略円状の遊技領域を有し、該遊技領域を円状に画成する外レールと内レールにより形成される円弧状の遊技球の導入路から遊技球を前記遊技領域の頂部に導き遊技くぎ、役物で構成される球通路を落下させるパチンコ遊技機において、前記図柄表示装置を遊技領域中央に設け、該表示装置下方に、請求項１または２に記載のチューリップ式役物を設けたことを特徴とするパチンコ遊技機。
【請求項４】
前記チューリップ式役物の可動翼上方に、球検知器収納殻を前記取り付け基板と一体に形成し、前記球検知器収納殻に第２の球検知器を装着した請求項３に記載のパチンコ遊技機。
【発明の詳細な説明】
【０００１】
【発明の属する技術分野】
本発明は、パチンコ遊技機の遊技盤面に取り付けられ、左右対称の２個の可動翼が開くことにより、遊技球が入りやすくなるチューリップ式役物およびパチンコ遊技機に関する。
【０００２】
【従来の技術】
チューリップ式役物は、古くは落下した遊技球により機械的に可動翼を開くものが用いられていたが、近時は、落下した遊技球を電気的に検知し、可動翼を駆動するソレノイドを励磁して可動翼を開放する電動式のものが広く用いられ、電動役物の一種として知られており、その構造、機構については種々提案されている。よく知られているようにチューリップ式役物は、通常では左右の可動翼が平行に位置し、遊技球略一個幅の通路を形成しているが可動翼が開いた場合は両翼が横になり、両翼上に落下した遊技球を入賞通路に導くようになし、容易に多くの遊技球が入賞できるものである。ここでは、両翼が平行に立っている状態を、閉じた状態、両翼が左右横に寝た状態を、開いた状態あるいは開放という。
【０００３】
このチューリップ式役物は、特開平6-47143号公報の図１、あるいは特開平9-173546号公報の図５に従来技術として紹介されているように、左右対称に２個の可動翼を回動自在に保持する翼支持部材と、前面に翼支持部材が取り付けられ、背面には球検知器を装着した球通路が形成されるとともに可動翼を開閉する作動体を取り付けた取り付け基板と、作動体を駆動する駆動部材とからなり、取り付け基板により遊技盤に取り付けられ、可動翼間に落下した遊技球を入賞通路に導く構造が一般的に用いられている。
【０００４】
ところで、このチューリップ式役物は、近時のいわゆる大入賞口を有する特別電動役物の始動口も兼ねていることがある。この場合、この始動口に遊技球が入ると可動翼が開くとともに、特別図柄表示装置が始動しその抽選の結果特別図柄が発現すると、大入賞口が開き特別入賞状態になる。この場合、前述のような従来のチューリップ式役物においては、可動翼が閉じた状態で入った遊技球と可動翼が開いてから入った遊技球を区別することができず、遊技盤の遊技状況を正確には把握できなかった。
【０００５】
また、従来の装置は、構造が比較的複雑で組み立ても煩瑣であり、装飾性などに欠けるという問題もあった。
【０００６】
【発明が解決しようとする課題】
本発明は、このような問題に鑑みなされたものであって、必要に応じて、閉じた状態と開放状態で入賞する遊技球の区別ができ、遊技盤の遊技状況を正確に把握できるようになすとともに装置をコンパクトで且つ組み立て性を向上した、種々の実用上の利点を有するチューリップ式役物およびパチンコ遊技機を提供するものである。
【０００７】
【課題を解決するための手段】
このため、本発明のチューリップ式役物は、左右対称に２個の可動翼を回動自在に保持する翼支持部材と、前面に翼支持部材が取り付けられ、背面には球検知器を装着した球通路が形成されるとともに可動翼を開閉する作動体を取り付けた取り付け基板と、作動体を駆動する駆動部材と、前記取り付け基板の背面に取り付けられ、前記駆動部材を収容するケーシングとからなり、取り付け基板により遊技盤に取り付けられ、可動翼間に落下した遊技球を入賞通路に導くチューリップ役物において、前記作動体が、前記２個の可動翼に係合する二股状の係合ピン部と該係合ピン部に略直角に曲がった磁着部とからなり、常時は可動翼を閉じるように弾性的に付勢されたＬ字形の回動レバーであり、前記駆動部材が、回動レバーの磁着部を吸着する磁着面が形成されたソレノイドであって該ソレノイドを励磁することにより前記回動レバーを揺動させ、前記可動翼を開放するようになし、前記ケーシングには、前記ソレノイドの磁着面より前記回動レバーの磁着部側に突出した受け座が形成されており、前記ソレノイドを励磁させたとき、前記回動レバーの磁着部が前記受け座に当接し、前記ソレノイドの磁着面に直接接しないようにしたことを特徴とする。これにより、本発明のチューリップ式役物は、部品点数が少なく組立が容易となる。また、本発明のチューリップ式役物は、Ｌ字形の回動レバーを同軸に設けたねじりバネで付勢し、これをソレノイドで駆動するようにしているので可動翼の作動、駆動系がコンパクトで確実なものとなる。その他の特徴、作用効果は実施形態の説明において記述する。
【００１０】
本発明のパチンコ遊技機は、遊技くぎ、図柄表示装置、各種役物、電飾部材などを配した略円状の遊技領域を有し、該遊技領域を円状に画成する外レールと内レールにより形成される円弧状の遊技球の導入路から遊技球を前記遊技領域の頂部に導き遊技くぎ、役物で構成される球通路を落下させるパチンコ遊技機において、前記図柄表示装置を遊技領域中央に設け、該表示装置下方に、可動翼の真上に遊技球の検出装置を備えたチューリップ式役物を設けたことを特徴とする。
【００１１】
これにより、遊技盤に変化を持たせ、また遊技状態をより正確に把握することができる。さらに、前記の本発明のチューリップ式役物を用いれば、装置がコンパクトで、組み立て性が改善できる。
また、本発明のパチンコ遊技機は、前記チューリップ式役物の可動翼上方に、球検知器収納殻を前記取り付け基板と一体に形成し、前記球検知器収納殻に第２の球検知器を装着したことを特徴とする。これにより、コンパクトで組み立て性を維持しつつ、第２の球検知器が設けられるので、必要に応じて遊技盤の遊技状況を正確に把握できる。
【００１２】
【発明の実施の形態】
以下図示した実施形態に基づき本発明を詳細に説明する。
【００１３】
図１は本発明のチューリップ式役物の一実施形態の斜視図であり、図１(a)は可動翼が閉じた状態、図１(b)は可動翼が開いた状態を示す。図２(a)は一部破断した斜視図、図２(b)は可動翼と回動レバーの係合状態を示す断面図である。図３から図９は図１のものの構成部品を示す図であり、図３は右可動翼を示し、図３(a)は正面図、図３(b)は左側面図、図３(c)は背面図である。図４は翼支持部材を示し、図４(a)は正面図、図４(b)は右側面図、図４(c)は背面図である。図５は取り付け基板を示し、図５(a)は正面図、図５(b)は左側面図である。図６は同じく取り付け基板を示し、図６(a)は背面図、図６(b)は図６(a)のX-X矢視図である。図７は、回動レバーを示す図で、図７(a)は上面図、図７(b)は背面図、図７(c)は図７(b)の右側面図である。図８はねじりバネを示す図で図８(a)は側面図、図８(b)は上面図である。図９はソレノイドのケーシングを示す図で図９(a)は正面図、図９(b)は右側面図、図９(c)は背面図である。
【００１４】
さて、図１および図２(a)において、左右対称の可動翼１aおよび1bは、翼支持部材２の回動軸21a、21b(後述)に遊嵌されており、翼支持部材２は可動翼1a、1bが回動できるよう取り付け基板３の前面ににねじ止めされる。取り付け基板３の可動翼1a、1bの直上には球検知器の収納殻33が突き出て一体的に形成され、左右の取り付けタブ30a、30bには取り付けねじ用の孔31a、31bが形成されており、取り付け基板３を遊技盤に固定するようになっている。
【００１５】
取り付け基板３の背面には球通路35(後述)とその下方に球検知器Ｓの収納殻38が形成される。取り付け基板３の球通路35を形成する殻壁37の端部に形成された切り込み37a、37b(後述)には、可動翼1a、1bの作動体である回動レバー４の両端の回動軸41a、41bが支えられており、Ｌ字形の回動レバー４の一辺である磁着体42を揺動可動に保持している。回動レバー４は回動軸41bに装着したねじりバネ５(図２(b))により可動翼1a、1bを閉じる方向に付勢され(図１(a))、ケーシング６に収納されソレノイド７が励磁されると磁着体42が吸着され、ねじりバネ５の弾性力に抗して可動翼1a、1bを開く(図１(b))。ソレノイド７を収納したケーシング６は、取り付け基板３の背面に突き出て形成された２個のねじボス39f、39gにねじ止めされる。
【００１６】
以下、図３から図９に基づき各構成部材を説明する。
【００１７】
可動翼1aは、図３に示すように、略三角形状で中空の翼部11と、軸孔12aとその内側のピン孔12bとを形成したボス部12とボス部12の下前形成された係止片13とからなり、プラスチックで一体成形可能で、前面には装飾模様14を形成している。なお、可動翼1bは、可動翼1aの左対称形の形状を有するものであり、構造は基本的に同一である。
【００１８】
翼支持部材２は、図４に示すように、略台形状の前面壁20aとこの前面壁20aの底部に連なる皿状の底壁20bからなる後面が開いた殻体である。前面壁20aの前面には装飾シート装着用の枠20cが形成され、前面壁20aの背面両側には、可動翼1a、1bが遊嵌される回動軸21a、21bが、中央には遊技球を取り付け基板３の球通路に導く傾斜した球導路板22、球導路板22の下には翼支持部材２を取り付け基板３にねじ止めするねじ用の孔を形成したねじボス23がそれぞれ後に突き出して形成されている。
【００１９】
また、底壁面上には可動翼が閉じたとき、その係止片13が閉じた状態で当接するストッパ24a、24bと可動翼が開いたとき、その背面が当接するストッパ25a、25bが形成され、底壁端面には位置決め用の突起26a、26bが形成され、取り付け基板３の位置決め孔に嵌着し、取り付け位置を定めるようになっている。なお、回動軸21a21bの中心の位置には前面壁20aの前面に、装飾シート(図示せず)の取り付け用の位置決め孔27a、27bが形成されている。この翼支持部材２もプラスチックで一体成形可能な形状となしている。
【００２０】
取り付け基板３は、図５、図６に示すように、略菱形の基板30の前面および背面に各殻体を形成したものであってプラスチックの一体成形が可能な形状を有する。基板30の両翼には取り付けタブ30a、30bが形成され、ねじ用の孔31a、31bおよび背面の位置決め用の突起32a、32bが形成される。基板30の中央上部には扁平直方体の球検知器Ｓ(図２(a)参照)が装着収納できる上下面が抜けた角状の収納殻33が形成され、収納殻33の後端部は基板30の背面に突き出ており、その左側には球検知器Ｓを把持する鉤34aを形成した係止爪34が一体的に形成されている。なお、収納殻33の前面には鉤34a成形用の型抜き用の開口33aが空いており、また、前面内側左角には球検知器Ｓの誤装着防止用の隅リブ33bが形成されている。
【００２１】
収納殻33の下方には球通路35の開口35aが開かれており、基板30の背面には、球通路開口35aに連なり、球通路35の上部を形成する傾斜した天板36と球通路35の側部および底部を形成する殻壁37が突き出して形成され、殻壁37の底面に一体的に球検知器Ｓの収納殻38が形成されている。収納殻38の形状、構造は前面の収納殻33と同一であり、近接スイッチである扁平直方体形状の球検知器Ｓを収納し、係止爪38aで保持するものである。球通路35および収納殻38は殻壁37で囲まれ一体的に形成され、それぞれ底面には球の通過孔35b、35cが開けられており、ここを通過した遊技球が遊技盤の裏面に形成されている入賞球通路に導かれる。なお、収納殻38にも収納殻33と同じく、係止爪38aの成形型抜き用の開口38b、球検知器Ｓの誤装着防止用の隅リブ38cが形成されている。
【００２２】
基板30には、翼支持部材２の回動軸21a、21bの先端を受ける孔39a、39bと、位置決め突起26a、26bが嵌着する位置決め孔39c、39dが開けられ、翼支持部材２のねじボス23が当接する受け座39eが前面に突き出だして形成されている。また、ソレノイド７のケーシング６を取り付けるためのねじボス39f、39gが殻壁37の両側上部に連なり一体的に形成されている。さらに、殻壁37の側端部には、回動レバー４の両回動軸41a、41bを受ける切り込み37a、37bが形成される。
【００２３】
回動レバー４は、図７に示すように、両端に回動軸41a、41bを形成したボス部40に一体的に成形(インサート成形)された略半円板状の磁性体金属板からなる磁着体42と磁着体42と直角にボス部40から二股状に突き出た２個の係合ピン43a、43bからなるプラスチック製の一体成形品であり、磁着体42と係合ピン43a、43bとは回動の軸芯となるボス部40を角としたＬ字形となり(図７(c))、磁着体42の前後方向の揺動が係合ピン43a、43b上下方向の揺動に変えられる。なお、回動軸41bの内側にはねじりバネ５の装着部41cが形成され、係合ピン43bの根元にはねじりバネ５の一端が係着する係止溝43cが形成されている。
【００２４】
ねじりバネ５は、図８に示すように、回動レバー４のねじりバネ５の装着部41cに嵌着するコイル部51とコイル部51の一端から斜め上方に突き出た保持端52と他端に形成された鉤状の係着端53からなり、コイル部51を装着部41cに遊嵌し、保持端52を取り付け基板３の天板36に当接して係着端53をねじった状態で係合ピン43bの係止溝43cに係着して、ねじり反力で可動翼1bのピン孔12bにその先端が挿し入れられた係合ピン43bを下方に弾性的に付勢し、両可動翼1a、1bを閉じた位置に保持するものである(図２(b))。
【００２５】
円筒状のソレノイド７を収納するケーシング６は、図９に示すように、ソレノイド７の円形の磁着面(図示せず)が臨む開口61aと取り付けねじ用の孔61b、61cを形成し、前面周縁を薄い凸面61dで縁取りした略方形の取り付け部61と、取り付け部61の背面に突き出して形成された筒状のソレノイド収納殻62とからなり、収納殻62の側面は若干の変形可能なように後端部に切り欠き部62aが形成され、収納殻62の前端上部に連なり後端に収斂するリブ62b、62cが左右対称に形成されている。
【００２６】
ソレノイドの磁着面(図示せず)は、ケーシング６の前端面61eすなわちリブ61d面と面一に収納され、凸面61dの両側やや下部には突片63a、63bが形成され、この突片63a、63bが取り付け基板３の切り込み37a、37bに嵌着し、この切り込み37a、37b内に回動レバー４の回動軸41a、41bを回動自在に保持する。また、凸面61dの頂部にはこの凸面61dからわずかに出っ張った弧状の磁着体受け座64が形成され、吸着時に磁着体42がソレノイドの磁着面に直接接触せず、磁着体42とソレノイドの磁着面の間に隙間が生ずるようになしている。
【００２７】
以上のチューリップ式役物の製造に際しては、まず、二つの可動翼1aおよび1bと、翼支持部材２と、球検知器収納殻あるいは球通路殻を形成した取り付け基板３と、回動レバー４およびケーシング６をそれぞれプラスチックで成形製作する。ついで、別途製造組立の、ねじりバネ５、ソレノイド７および球検知器Ｓをそれぞれ所要の収納殻などに組み込むとともに可動翼1aおよび1bの前面、翼支持部材の前面および取り付け基板の３の可視部などに所要の装飾シールなどを貼着する。
【００２８】
その後、可動翼1aおよび1bを組み付けた翼支持部材２を取り付け基板３にねじ止めで固着し、回動レバー４の係合ピン43a、43bを可動翼のピン孔12a、12bに係合した状態で、回動レバー４を取り付け基板３の切り込み37a、37bに組み込み、ソレノイド７を収納したケーシング６を取り付け基板３のねじボス39f、39gに組み付け、組み立てる。
【００２９】
なお、本実施形態では図１に示すように球検知器Ｓは取り付け基板３の球通路35の下方には装着しているが、収納殻33には装着していないものを示している。
収納殻33には必要に応じて取り付けることができる。図１における7Cはソレノイド７の接続コネクタを示し、SCは球検知器Ｓの接続コネクタを示す。
【００３０】
以上のように本発明のチューリップ式役物においては、部品を増やすことなく球検知器の増設が可能で、遊技状態を正確に把握することができ、また、全体としても部品点数が少なくまたそれぞれ成形加工が可能であるので、装飾性にも優れ、部品製作が容易で、組み立ても簡単、簡易であり実用的なものである。
【００３１】
また、作動体に、Ｌ字形回動レバーを用い、磁着体を小さくしているので、磁着体の揺動範囲が小さく、作動体自体もコンパクトになり、また、回動軸に設けたねじりバネで係合ピンを付勢するようになしたのでソレノイドの駆動部材を含む可動翼の作動、駆動系全体がコンパクトとなる。さらに、ソレノイドのケーシングに磁着体の受け座を設けて吸着時磁着体が直接ソレノイドの磁着面に接触しないようになしているので、磁着面にフィルムを貼るといったことも不要になり、磁着体が磁化されることがなく、長期にわたって使用することができる。
【００３２】
なお、以上の実施形態においては、装飾性を持った形状とするために各部品の外形、殻体などを滑らかな曲線状となし、また、補強のためのリブを兼ねた各種形状の殻壁を設けた。しかし、基本要素、主要構造以外の形態、形状あるいはリブ構造などはデザインの問題あるいは設計的事項であり適宜必要に応じ設計し、変更できるものであり、これら変更したものも本発明に包含されることはいうまでもない。
【００３３】
以下に本発明のパチンコ遊技機について述べる。
【００３４】
図10に本発明パチンコ遊技機の一実施形態の遊技盤の正面図を示す。このパチンコ遊技機は、大入賞口の開閉動作を抽選する特別図柄表示装置を始動する始動口として機能するチューリップ式役物として前述の本発明のチューリップ式役物を備えたものである。
【００３５】
図10において、遊技盤100の略円形の遊技領域Rは、内レール110(アウト口と一体になったアウト口レール)と遊技領域Rの上部および右側部を画定する枠飾り120により略円形に画定される。内レール110の外側には外レール130が内レールと略並行に設けられ遊技球を誘導する弓状の誘導路を形成している。
【００３６】
遊技領域R内には、遊技くぎ(図示せず)が植設され、遊技球の落下路を形成している。頂部のいわゆる天釘(図示せず)の下部には弧状のラウンドレンズ140が設けられ、その下方には図柄表示部150が位置する。図柄表示部150は、頂部に突出た弧状の凸ステージ部151と両側のワープルート152、153と底部の凹んだ凹ステージ154を有する略四角のフレーム150Aに特別図柄表示装置155を組み込んだものであり、遊技領域中央やや上方に設けられる。
【００３７】
凸ステージ部151前面には、中央飾り156が設けられ、中央飾り156の上半分は金属飾り156aであり、金属飾り156aの下には表示装置156bが設けられる。表示装置156bの中央には普通図柄表示装置、その両脇に各２個の普通図柄始動の保留球表示ランプ、さらにその両側に各２個の特別図柄始動の保留球表示ランプが取付けられている。中央飾り156の両側の盤面にはラウンドレンズ140に平行な補助レンズ157a、157bが取付けられている。
【００３８】
ワープルート152、153の外側には、二連の風車を有する一対の風車装置161、162が左右対称に取り付けられ、各風車装置161、162の下方側部には二つの一般入賞口171a、171bを取付け、電飾ランプ171cを内蔵したサイドレンズ171と、同じく二つの一般入賞口172a、172bを取付け、電飾ランプ172cを内蔵したサイドレンズ172が左右対称に取付けられている。表示装置150の中央下方には一対の可動翼が開閉するチューリップ式役物180、その下方でアウト穴190の上には開閉扉を有するアタッカー(大入賞口)200が設けられ、アタッカー(大入賞口)200左上方には始動口210が位置している。
【００３９】
このパチンコ遊技機においては、各役物の配置形状は異なるもののその遊技方法は従来の遊技盤と変わるところはないので遊技方法の説明は省略する。前述の通り、チューリップ式役物180は先に説明した図１以下に示した本発明チューリップ式役物の実施形態のものであり、遊技盤に取り付け基板３をねじ止めすることにより取り付けられている。このチューリップ式役物180は、可動翼が開いた状態を示し、閉じた状態を点線で示している。
【００４０】
チューリップ式役物の可動翼1a1bの真上に収納殻33を形成し、必要に応じて球検出器を装着できるようにしているので、球検知器をこの収納殻33に装着した場合、可動翼が閉じた状態で入った遊技球(始動球ともいえる)と可動翼が開いた状態で入った遊技球を区別して検知できるので、遊技機の遊技性能を詳しく解析できる。また、球検知器を入れない場合でも遊技性能に影響を与えることはなくまたコストが増えることもないので遊技機のポテンシャルを高めることとなる。さらには、本発明のチューリップ式役物は、前述の種々の利点を有するがその特徴、利点をそのまま備えた遊技機を提供できるものである。
【００４１】
【発明の効果】
本発明のチューリップ式役物は、部品点数が少なく、製作も容易で組み立て性も良好である。また、コンパクトで組み立て性を維持しつつ第２の球検知器が設けられるので、必要に応じ遊技盤の遊技状況を正確に把握できる。
【図面の簡単な説明】
【図１】本発明のチューリップ式役物の一実施形態の斜視図であり、図１(a)は可動翼が閉じた状態、図１(b)は可動翼が開いた状態を示す図である。
【図２】図２(a)は図１の実施形態の一部破断した斜視図、図２(b)は同じく可動翼と回動レバーの係合状態を示す断面図である。
【図３】右可動翼を示し、図３(a)は正面図、図３(b)は左側面図、図３(c)は背面図である。
【図４】翼支持部材を示し、図４(a)は正面図、図４(b)は右側面図、図４(c)は背面図である。
【図５】取り付け基板を示し、図５(a)は正面図、図５(b)は左側面図である。
【図６】取り付け基板を示し、図６(a)は背面図、図６(b)は図６(a)のX-X矢視図である。
【図７】回動レバーを示す図で、図７(a)は上面図、図７(b)は背面図、図７(c)は図７(b)の右側面図である。
【図８】ねじりバネを示す図で図８(a)は側面図、図８(b)は上面図である。
【図９】ソレノイドのケーシングを示す図で図９(a)は正面図、図９(b)は右側面図、図９(c)は背面図である。
【図１０】本発明パチンコ遊技機の一実施形態の遊技盤の正面図である。
【符号の説明】
1a、1b 可動翼
２    翼支持部材
３    取り付け基板
33    収納殻
４    回動レバー
41a、41b  回動軸
42    磁着体
５    ねじりバネ
６    ケーシング
７    ソレノイド
【図１】
0004573394.tif 000002
【図２】
0004573394.tif 000003
【図３】
0004573394.tif 000004
【図４】
0004573394.tif 000005
【図５】
0004573394.tif 000006
【図６】
0004573394.tif 000007
【図７】
0004573394.tif 000008
【図８】
0004573394.tif 000009
【図９】
0004573394.tif 000010
【図１０】
0004573394.tif 000011